(57)【要約】【課題】  壁面に額縁などの吊下物を掛け止めるためのフックは、壁面への取付板に両面接着剤を備えたフックを接着するか、壁面にねじ込むねじ棒を備えたフックが知られており、これらのフックを壁面に予め取り付け、額縁などの吊紐を掛けて飾っていた。  額縁などの吊下物が大きく腕を左右に広げて持ち上げなければならなかったり、踏み台に登って高い位置のフックに掛ける場合は一人で作業をなすことができなかった。【解決手段】  長さ調整可能な伸縮体１の両端に、額縁Ｇなどの吊下物の裏面から吊紐Ｓを離して保持する柔軟性を備えた広径の支持体２を設けた。【選択図】  図１
2005304886.tif 000002
【特許請求の範囲】
【請求項１】
長さ調整可能な伸縮体の両端に、額縁などの吊下物の裏面から吊紐を離して保持する柔軟性を備えた広径の支持体を設けたことを特徴とする吊下物の紐掛け補助具。
【請求項２】
伸縮体を、順次小径にした筒体を嵌め入れるようにし、支持具はゴム或いは柔軟性を備えたプラスチックによる吸盤としたことを特徴とする請求項１記載の吊下物の紐掛け補助具。
【請求項３】
伸縮体を、ねじ込み式とするように筒体の内外にねじを切ってなるようにしたことを特徴とする請求項１記載の吊下物の紐掛け補助具。
【請求項４】
伸縮体と支持体を繋げるのに、一方は伸縮体を支持体の取付基部に差し込み止めねじを直交するようにねじ込んで固定し、他方は伸縮体の一端に球体を設け、支持体の擂鉢状の開口部から窄められた内部に強制的に嵌め込むことで伸縮体と支持体を可動状態に繋げるようにしたことを特徴とする請求項１記載の吊下物の紐掛け補助具。
【発明の詳細な説明】
【技術分野】
【０００１】
この発明は、主として大きな書画を飾る額縁やパネル、陶器製の飾り皿、能面その他の
古美術品のような吊下物を内壁面やパーティションなどに取り付けられたフックに容易に
掛けられるようにするための補助具に関するもので、吊下物の裏面両側に取り付けられた
吊紐を一時的に持ち上げて張り出すことで、フックに掛け易くするものである。
【背景技術】
【０００２】
従来の壁面に額縁などの吊下物を掛け止めるためのフックは、壁面への取付板に両面接
着剤を備えたフックを接着するか、壁面にねじ込むねじ棒を備えたフックが知られており
、これらのフックを壁面に予め取り付け、額縁などの吊紐を掛けて飾っていた。
内壁面やパーティションの低い箇所で、額縁などが小さければ、一人で吊紐をフックに
掛けるのに支障は生じない。
【発明の開示】
【発明が解決しようとする課題】
【０００３】
しかし、額縁などが大きく腕を左右に広げて持ち上げなければならなかったり、踏み台
に登って高い位置のフックに掛ける場合は一人で作業をなすことができなかった。
【課題を解決するための手段】
【０００４】
この発明は、このように、従来壁面などへの額縁などの吊下物を掛ける場合の補助具に
関するもので一時的に吊紐を額縁の背面に持ち上げて突き出すように保持して、簡単に一
人で作業をなし得るように開発したものである。
請求項１の発明は、長さ調整可能な伸縮体の両端に、額縁などの吊下物の裏面から吊紐
を離して保持する柔軟性を備えた広径の支持体を設けたことを特徴とするものである。
請求項２の発明は、伸縮体を、順次小径にした筒体を嵌め入れるようにし、支持具はゴ
ム或いは柔軟性を備えたプラスチックによる吸盤としたことを特徴とする。
請求項３の発明は、伸縮体を、ねじ込み式とするように筒体の内外にねじを切ってなる
ようにしたことを特徴とする。
請求項４の発明は、伸縮体と支持体を繋げるのに、一方は伸縮体を支持体の取付基部に
差し込み止めねじを直交するようにねじ込んで固定し、他方は伸縮体の一端に球体を設け
、支持体の擂鉢状の開口部から窄められた内部に強制的に嵌め込むことで伸縮体と支持体
を可動状態に繋げるようにしたことを特徴とする。
【発明の効果】
【０００５】
請求項１の発明では、壁面などへの額縁などの吊下物を掛ける場合に予め吊紐を額縁の
背面に持ち上げて突き出すようにしてから持ち上げてフックに掛けられるので、簡単に一
人で作業をなし得るのである。柔軟性を備えた広径の支持体を用いているので、額縁など
を掛けた後に落としても他の物を傷つけたり、人に当たっても怪我をすることがない。
請求項２の発明では、アンテナや釣り竿で採用されているような筒体を嵌め入れること
で伸縮自在としているので、吊紐の長さに応じて伸縮体を伸ばす場合に作業性が良いことになり、支持体を柔軟性を備えた吸盤としたので、額縁などの吊下物の背面と吊紐の間に介在させて吊紐を張っても落下せずに保持することができるのである。
請求項３の発明では、伸縮体を、ねじ込み式としたもので、吊紐を張る場合に微妙な調整をすることができるのである。
請求項４の発明では、一方の伸縮体を支持体と可動可能としてあるので、額縁などをフックに引っ掛けた後に、簡単に外れて落下することになる。
【発明を実施するための最良の形態】
【０００６】
以下図面に示すこの発明の実施の形態に即して説明する。
この吊下物の紐掛け補助具Ｈは、概略伸縮体１とこの伸縮体１の両端に繋げる支持体２
とからなる。
伸縮体１は、アンテナやカメラの三脚で公知な構造、すなわち複数の順次細径とした管
体１１、１２、１３を互いに密着させスライド自在に嵌め合わせるようにしてなり、長さ
を自在に変更して所望の箇所で止められるようになっている。
スライド自在とするのは、内部に入れる管体１２、１３は短いフランジ１２ａ、１３ａ
を設けて管体１１、１２内をスライドし、管体１１、１２の一端の窄められた開口縁１１
ｂ、１２ｂにフランジ１２ａ、１３ａが当設することで抜け落ちず、適宜の力を加えなけ
ればスライドしない構造となっている。
図示の例では三本の管体１１、１２、１３から構成されているが少なくとも二本として
構成すれば足りる。
【０００７】
そして、伸縮体１の両端、具体的には管体１１及び管体１３には、額縁Ｇなどの吊下物の裏面から吊紐Ｓを離して保持する柔軟性を備えた広径の支持体２、２を繋げるようにし
ている。
支持体２は、図示の例ではゴム製或いはプラスチック製とした吸盤２１、２２により構
成されるもので円柱状の取付基部２３を一体に備えている。この取付基部２３には管体１
１、１３を挿入する丸孔２３ａを設けると共に、この丸孔２３ａと直交する貫通穴２３ｂ
を設けてある。
管体１１は、吸盤２１の取付基部２３の丸孔２３ａに挿入し、止めねじ３を貫通穴２３
ｂから管体１１の端部に設けたねじ穴にねじ込み固定するようにしてある。
【０００８】
管体１３には端部に球体１３ｂを一体に設けるようにしてあり、吸盤２２の取付基部２
３の丸孔２３ａは擂鉢状に開口部を拡げ、貫通穴２３ｂに繋がる箇所は窄めて管体１３
の球体１３ｂを強制的に押し込み挿通できるようにしてあり、球体１３ｂは擂鉢状の開口
部で吸盤２２が管体１３と相対的に可動状態となるようにしてある。
【０００９】
このような構成からなる吊下物の紐掛け補助具Ｈは、図２に示すように、額縁Ｇなどの
吊下物の両側に固定した吊紐Ｓを裏面より突き出すように一時的に保持するものである。
伸縮体１の長さを適宜調整し、額物Ｇの背面と吊紐Ｓに支持体を２、２あてがい、支持体２の柔軟性により一時的に吊紐Ｓを緊張状態で保持し、そのまま両手で額縁Ｇを持ち上げて壁面ＷのフックＦに近付け、吊紐ＳをフックＦに掛けてから脱落させ、吊下物の紐掛け補助具Ｈを落下させるのである（図３）。吊紐ＳをフックＦに掛け終った後、伸縮体１と支持体２の一方は、可動状態に繋げているので、額縁Ｇを押し下げることで伸縮体１と支持体２が互いにかしいで落下し易いのである。
【００１０】
図４は、吊下物としての額縁Ｇが幅広の場合や、複数のフックＦに掛けるような場合で
、このときは、この発明に係る吊下物の紐掛け補助具Ｈを複数用いてフックＦに掛け易い
ようにした様子を示す。
【００１１】
図５は、この発明の別の実施の形態を示すものである。この吊下物の紐掛け補助具Ｈで
は伸縮体１をねじ込み式としたもので、一方の管体１４の内面にめねじを設け（図示せず
）、他方の管体１５の外周にネジピッチの長い雄ねじ１５ａをもうけるようにして、回転
させることで伸縮体１の長さを自在に設定できるようにしてある。その他の構成は、これ
までの実施の形態と同様であるので、同一箇所は同一符号を付して説明を省略する。
【００１２】
なお、同じ出願人の特願２００４−１１６６５５号として出願した固定フックとスライ
ドフックからなるフックと併用すれば、一人での吊下物の壁かけ作業の更なる簡略化が図れるのである。
伸縮体の素材材については、プラスチックの成形品、金属製など適宜選択することができるが、支持体は柔軟性を備えたものであれば足りるので必ずしも吸盤状とすることに限定されない。
【図面の簡単な説明】
【００１３】
【図１】ａｂは、この発明に係る吊下物の紐掛け補助具の要部断面図である。
【図２】紐掛け補助具の使用状態の平面図である。
【図３】同じく紐掛け補助具の使用状態の平面図である。
【図４】複数の紐掛け補助具を用いた使用状態の平面図である。
【図５】紐掛け補助具の別の実施の形態を示す正面図である。
【符号の説明】
【００１４】
Ｈ  吊下物の紐掛け補助具
Ｇ  額縁
１  伸縮体
１１、１２、１３、１４、１５  管体
２  支持体
２１  ２２  吸盤
２３  取付基部
２３ａ  丸孔
２３ｂ  貫通穴
３  止めねじ  
【図１】
2005304886.tif 000003
【図２】
2005304886.tif 000004
【図３】
2005304886.tif 000005
【図４】
2005304886.tif 000006
【図５】
2005304886.tif 000007